(57)【要約】      （修正有）【課題】運転者の身体に負担をかけることなく、運転者の眠気強度に応じた休憩地点を検索し、休憩を促すことが可能な探索装置、探索方法、探索プログラム及び記録媒体、並びにナビゲーション装置を提供する。【解決手段】移動体を運転する運転者の生体情報を取得する生体情報取得部１１と、生体情報に基づき運転者の眠気強度を判定する眠気強度判定部１２と、移動体についてのナビゲーション情報を取込むナビゲーション情報取込み部１３と、眠気強度に応じた少なくとも１の休憩地点をナビゲーション情報から検索する休憩地点検索部１４を備える。【選択図】図１
2017157070.tif 000002
【特許請求の範囲】
【請求項１】
移動体を運転する運転者の生体情報を取得する生体情報取得部と、
前記生体情報に基づき前記運転者の眠気強度を判定する眠気強度判定部と、
前記移動体についてのナビゲーション情報を取込むナビゲーション情報取込み部と、
前記眠気強度に応じた少なくとも１の休憩地点を前記ナビゲーション情報から検索する休憩地点検索部と、
を備えることを特徴とする探索装置。
【請求項２】
前記生体情報は、前記運転者の脳波情報であることを特徴とする請求項１に記載の探索装置。
【請求項３】
前記ナビゲーション情報は、前記少なくとも１の休憩地点についての属性情報を含み、
前記休憩地点検索部は前記属性情報に基づいて前記少なくとも１の休憩地点を分類することを特徴とする請求項１又は２に記載の探索装置。
【請求項４】
前記休憩地点検索部は、前記少なくとも１の休憩地点の中から、前記眠気強度に基づいて目的地点を決定することを特徴とする請求項１乃至３のいずれか１に記載の探索装置。
【請求項５】
前記ナビゲーション情報は、地図情報及び施設情報を含むことを特徴とする請求項１乃至４のいずれか１に記載の探索装置。
【請求項６】
前記移動体の周辺を撮像する撮像装置と、前記撮像装置の画像情報を解析する画像解析部と、を備え、前記休憩地点検索部は前記画像解析部の解析結果に基づいて前記休憩地点を検索することを特徴とする請求項１乃至５のいずれか１に記載の探索装置。
【請求項７】
前記脳波情報は、α波及びθ波のうち少なくとも１を含む情報であることを特徴とする請求項２乃至６のいずれか１に記載の探索装置。
【請求項８】
音響データ格納部と、前記音響データ格納部に格納された音響データの中から前記眠気強度に応じた音響データを選択する音響データ選択部と、前記音響データ選択部により選択された音響データを再生する音響再生部と、をさらに備えることを特徴とする請求項１乃至７のいずれか１に記載の探索装置。
【請求項９】
前記音響再生部により再生される音響は、β波信号を含む少なくとも1種類の脳波信号が重畳された音響を含むことを特徴とする請求項８に記載の探索装置。
【請求項１０】
探索装置による探索方法であって、
生体情報取得部が、移動体を運転する運転者の生体情報を取得するステップと、
眠気強度判定部が、前記生体情報に基づき前記運転者の眠気強度を判定するステップと、
ナビゲーション情報取込み部が、前記移動体についてのナビゲーション情報を取込むステップと、
休憩地点検索部が、前記眠気強度に応じた休憩地点を前記ナビゲーション情報から検索するステップと、
を有することを特徴とする探索方法。
【請求項１１】
探索装置に備えられたコンピュータに実行させるプログラムであって、
移動体を運転する運転者の生体情報を取得するステップと、
前記生体情報に基づき前記運転者の眠気強度を判定するステップと、
前記移動体についてのナビゲーション情報を取込むステップと、
前記眠気強度に応じた休憩地点を前記ナビゲーション情報から検索するステップと、
を実行させることを特徴とする探索プログラム。
【請求項１２】
請求項１１に記載のプログラムを格納したことを特徴とするコンピュータ読み取り可能な記録媒体。
【請求項１３】
請求項１に記載の探索装置と、
目的地までの経路を算出する経路算出部と、
当該算出された経路の案内表示を行う経路案内部と、を有し、
前記経路案内部は、前記探索装置により検索された前記眠気強度に応じた前記少なくとも１の休憩地点の案内表示をなすことを特徴とするナビゲーション装置。
【発明の詳細な説明】
【技術分野】
【０００１】
本発明は、探索装置、探索方法、探索プログラム及び記録媒体、並びにナビゲーション装置に関する。
【背景技術】
【０００２】
移動体を運転する運転者の生体に関する情報が、注意力の低下を示唆するような場合に、注意喚起を図る装置が知られている。例えば特許文献１には、運転者から検出される脳波の周波数が下降している場合にシートベルトの張力を高低させて運転に刺激を与えるシートベルト制御装置が開示されている。
【先行技術文献】
【特許文献】
【０００３】
【特許文献１】特開２０１１−２５８５１号公報
【発明の概要】
【発明が解決しようとする課題】
【０００４】
運転者の注意力が低下した場合、特許文献１のように、脳波の周波数が下降している場合に身体に直接刺激を与えることは、運転者の身体に負担になる懸念があったことが、課題の一例として挙げられる。
【０００５】
本発明は上記した点に鑑みてなされたものであり、運転者の身体に負担をかけることなく、運転者の眠気強度に応じた休憩地点を検索し、休憩を促すことが可能な探索装置、探索方法、探索プログラム及び記録媒体、並びにナビゲーション装置を提供することを課題の一つとしている。
【課題を解決するための手段】
【０００６】
請求項１に記載の発明は、移動体を運転する運転者の生体情報を取得する生体情報取得部と、生体情報に基づき運転者の眠気強度を判定する眠気強度判定部と、移動体についてのナビゲーション情報を取込むナビゲーション情報取込み部と、眠気強度に応じた少なくとも１の休憩地点をナビゲーション情報から検索する休憩地点検索部と、を備えることを特徴とする。
【０００７】
請求項９に記載の発明は、探索装置による探索方法であって、生体情報取得部が移動体を運転する運転者の生体情報を取得するステップと、眠気強度判定部が生体情報に基づき運転者の眠気強度を判定するステップと、ナビゲーション情報取込み部が移動体についてのナビゲーション情報を取込むステップと、休憩地点検索部が眠気強度に応じた休憩地点をナビゲーション情報から検索するステップと、を有することを特徴とする。
【０００８】
請求項１０に記載の発明は、探索装置に備えられたコンピュータに実行させるプログラムであって、移動体を運転する運転者の生体情報を取得するステップと、生体情報に基づき運転者の眠気強度を判定するステップと、移動体についてのナビゲーション情報を取込むステップと、眠気強度に応じた休憩地点をナビゲーション情報から検索するステップと、を実行させることを特徴とする。
【図面の簡単な説明】
【０００９】
【図１】実施例１に係る探索装置の構成を示すブロック図である。
【図２】実施例１に係る探索装置に備えられたコンピュータが実行する処理のメインフローを示すフローチャートである。
【図３】休憩地点の検索条件の例を示す表である。
【図４】休憩地点の分類の例を示す表である。
【図５】実施例２に係る探索装置の構成を示すブロック図である。
【図６】実施例２に係る手順例を示すフローチャートである。
【図７】実施例２に係るサブルーチンを示すフローチャートである。
【図８】実施例３に係る処理の手順例を示すフローチャートである。
【図９】実施例４に係るナビゲーション装置の構成を示すブロック図である。
【発明を実施するための形態】
【００１０】
以下に本発明の好適な実施例を詳細に説明する。なお、以下の説明及び添付図面においては、実質的に同一又は等価な部分には同一の参照符号を付している。
【００１１】
また、本発明の探索装置を適用することができる移動体としては、自動車、オートバイ、自転車などの車両を例示することができるが、船舶、航空機などの運転者のいる輸送手段についても適用することができる。以下の実施例においては、当該移動体が自動車である場合について説明する。
【実施例１】
【００１２】
図１は、本実施例に係る探索装置１０の構成を示すブロック図である。探索装置１０は、生体情報取得部１１、眠気強度判定部１２、ナビゲーション情報取込み部１３、休憩地点検索部１４及び記憶部１６を有している。これらの各部１１〜１４、１６は、双方向通信が可能な伝送路（バスライン）ＢＬで互いに接続されている。
【００１３】
生体情報取得部１１は、外部の機器から、移動体（自動車）の運転者の生体情報を受信する。ここで、外部の機器は、探索装置１０に有線又は無線で接続され、運転者の生体情報に関する測定機能を有する任意の機器であり、例えば脳波測定機能を有するモバイル機器やウェアラブル機器でも良い。脳波に関する情報は、例えば特定の周波数の脳波の情報であり、特定の周波数としては、α波、θ波が挙げられる。
【００１４】
また、生体情報は、運転者を撮影するカメラなどによって検出された、運転者の視線や身体の動き、眼の開閉や眼球運動、あくびなどの動作に関する情報であっても良い。また、生体情報は、心拍、脈拍などを測定する機能を有するウェアラブル機器、移動体のハンドルやシートなどの移動体部品によって検出された眠気を示す情報であっても良い。
【００１５】
眠気強度判定部１２は、生体情報取得部１１からの生体情報を解析し、眠気の強度を判定する。具体的には、例えば脳波の強度に基づいて、眠気強度を判定する。
【００１６】
ナビゲーション情報取込み部１３は、外部のナビゲーション機能を有する機器等から当該自動車についてのナビゲーション情報を取込む。ナビゲーション情報は、例えば探索装置１０に接続されたナビゲーション装置から取込まれる。
【００１７】
本実施例において、ナビゲーション情報は、地図情報及び施設情報を含む。地図情報には、地図データ、経路情報、通行履歴、ＧＰＳから受信した情報、ＶＩＣＳ（登録商標）（Vehicle Information Communication System）情報及びその他の道路情報や交通情報が含まれる。
【００１８】
また、地図情報には、停止スペースに関する情報が含まれる。停止スペースとは、運転者が自動車を停止させて休憩をとることが可能な地点であり、他人の通行を妨げず、安全かつ適法に駐停車可能なスペースである。停止スペースに関する情報には停止スペースの属性情報が含まれる。停止スペースの属性情報としては、スペースの広さ、経路上の位置などが挙げられる。
【００１９】
施設情報には、休憩施設、公共施設、商業施設、駐車場及びその他の休憩に利用できる施設（以下、各種施設と称する）に関する情報が含まれる。具体的には、施設情報には、各種施設の属性情報として、場所、規模、利用可能時間帯、設備内容、サービス内容、連絡先及び混雑度などに関する情報が含まれる。
【００２０】
休憩地点検索部１４は、眠気強度判定部１２の判定結果に基づき、ナビゲーション情報取込み部１３が取込むナビゲーション情報の中から少なくとも１の休憩地点を検索する。休憩地点は、各種施設及び停止スペースの中から検索される。ナビゲーション情報取込み部１３が取込むナビゲーション情報には、休憩地点についての属性情報が含まれる。
【００２１】
記憶部１６には、ナビゲーション情報や眠気強度に関するデータ、休憩地点の検索に関する条件、など、探索装置１０において使用される種々のデータが格納されている。
【００２２】
図２は、本実施例における探索装置による探索方法のメインフローを示すフローチャートである。
【００２３】
図２において、まず、生体情報取得部１１が運転者の生体情報を取得する（ステップＳ１１）。次に、眠気強度判定部１２が生体情報取得部１１によって取得された生体情報を解析し、眠気強度を判定する（ステップＳ１２）。続いて、眠気強度に基づいて、運転者の休憩が必要であるか否かが判定される（ステップＳ１３）。
【００２４】
ステップＳ１３において休憩が不要であると判定された場合、本メインフローの最初に戻り、再びステップＳ１１から実行される。
【００２５】
ステップＳ１３において休憩が必要であると判定された場合、ステップＳ１４に進み、ナビゲーション情報取込み部１３がナビゲーション情報を取込む。なお、ナビゲーション情報は、ステップＳ１４よりも前にナビゲーション情報取込み部１３に取込まれ、記憶部１６に格納されていてもよい。
【００２６】
続いて、ステップＳ１５において、休憩地点検索部１４が眠気強度の判定結果に基づき、ナビゲーション情報を用いて休憩地点の検索を実行する。すなわち、眠気強度に応じた少なくとも１の休憩地点を検索する。ステップＳ１５の検索が終了すると、検索結果である休憩地点情報を出力する。
【００２７】
なお、休憩地点情報には、優先順位付けの情報が含まれていてもよい。また、休憩地点情報は、探索装置１０に接続されたナビゲーション装置に送られ、ナビゲーション装置は、検索された休憩地点を案内表示として表示する。なお、ナビゲーション装置は、優先順位付けに応じた表示をしてもよい。
【００２８】
ここで、図３を参照してステップＳ１５における休憩地点の検索について詳細に説明する。眠気強度は、２以上の段階に区別されている。なお、当該段階毎に異なる基準の検索条件が設定されていてもよい。すなわち、休憩地点検索部１４における休憩地点の検索の条件は、眠気強度に応じて決定される。例えば、図３に示すように、眠気強度を２段階に区分する場合、眠気強度が強い（「１強」）と判定された場合には、例えば自動車の現在位置からの距離を条件とすることができる。すなわち、現在位置から近い順に順位付けした少なくとも１の休憩地点を検索する。
【００２９】
また、眠気強度が弱い（「２弱」）と判定された場合は、例えば休憩施設の規模を条件とすることができる。すなわち、休憩施設の規模が大きい順に順位付けした少なくとも１の休憩地点を検索する。
【００３０】
眠気強度が２段階の場合について説明したが、眠気強度レベルを３段階以上として眠気強度レベルに応じた休憩地点を検索するようにしてもよい。すなわち、眠気強度に応じた少なくとも１の休憩地点を検索するように構成されていればよい。
【００３１】
また、図１を再度参照すると、休憩地点検索部１４は、休憩地点分類部１５を備えていてもよい。休憩地点分類部１５は、休憩地点の少なくとも１の属性情報に基づいて検索結果を分類する。図４は、休憩地点検索部１４が検索した休憩地点について、休憩地点分類部１５が分類した結果の例である。具体的には、第１基準を現在位置からの距離とし、距離が近い順に５つの地点に順位付けした結果と、第２基準を各種施設の混雑度とし、混雑度が低い順に順位付けした結果とを併せて示している。休憩地点分類部１５は、分類結果を表す表示データを生成してもよい。ナビゲーション装置は、分類結果又はこの表示データに基づいて表示を行う。
【００３２】
さらに、探索装置１０には、設定部１９が設けられていてもよい。設定部１９は、例えば操作画面を有しており、入力操作により設定や条件の変更ができるように構成されている。より詳細には、設定部１９の操作により、休憩地点検索部１４における眠気強度に応じた休憩地点の検索条件を適宜設定することができる。また、休憩地点分類部１５を有している場合には、休憩地点分類部１５における分類条件を適宜設定することができるように構成されている。なお、設定部１９は、ユーザが設定情報を入力可能であるように構成されていればよく、音声などによる操作ができてもよい。
【００３３】
以上説明したように、本実施例の探索装置によれば、自動車の運転者の生体情報を解析することにより、運転者の眠気強度を判定し、眠気強度に応じた休憩地点を検索することができる。したがって、運転者の身体に負担をかけることなく休憩を促すことができ、眠気強度に応じた休憩地点を提示することが可能な探索装置を提供することができる。
【実施例２】
【００３４】
図５は、実施例２に係る探索装置２０の構成を示すブロック図である。探索装置２０は、探索装置１０と、音響再生装置２１から構成されている。
【００３５】
探索装置１０は、実施例１において説明した構成と同様に、生体情報取得部１１、眠気強度判定部１２、ナビゲーション情報取込み部１３、及び休憩地点検索部１４及び記憶部１６から構成され、探索装置１０は音響再生装置２１に伝送路（バスライン）ＢＬで接続されている。
【００３６】
音響再生装置２１は、音響データ格納部２２、音響データ選択部２３、音響再生部２４から構成されている。
【００３７】
音響データ格納部２２は、任意の音響データを外部の音響ソースから取込み、格納する。ここで、音響データは、音楽、効果音、音声、その他運転者が使用する音響データ全般を指す。音響データの取込み先である音響ソースは、音響データを取込むことが可能なものであればよく、例えば記録媒体や放送、インターネットなどを含む。
【００３８】
音響データ格納部２２において、眠気強度に応じた音響データが格納されている。眠気強度に応じた音響データとは、眠気を抑制し、又は覚醒を促す効果を有する音響データである。当該音響データは、眠気を抑制し、又は覚醒を促す効果の大小と、眠気強度のレベルと、を関連付けて格納されている。
【００３９】
音響データ選択部２３は、眠気強度判定部１２からの眠気強度に対応した音響データを、格納された音響データの中から選択する。すなわち、眠気強度のレベルに関連付けて格納された音響データの中から、眠気強度判定部１２が判定した眠気強度に対応する眠気強度についての音響データを選択する。当該音響データは、例えば、早いテンポによって運転者に刺激を与えるような音楽でもよい。また、例えば人の脳波のうち覚醒時に現れやすい脳波信号であるβ波を重畳した音響データであっても良い。
【００４０】
音響再生部２４は、音響データ選択部２３に選択された音響データを再生する。既に音響データが再生されている場合には、当該音響データに脳波信号を重畳することもできる。例えば、音楽にβ波信号を重畳したものを再生してもよい。また、既に再生されている音響データの再生を停止した上で、音響データ選択部２３により選択された音響データを再生することもできる。
【００４１】
また、音響データ選択部２３についての設定は設定部１９によって行うことができる。例えば、音響データの取込み基準、又は音響データを設定できるように構成されている。例えば、運転者の好みの楽曲を音響データ格納部２２に格納しておき、音響データ選択部２３は、格納された楽曲の中から、眠気強度に応じた楽曲を選択することができる。なお、音響データ格納部２２には、脳波信号が重畳された音響データが格納されていてもよい。
【００４２】
図６は、実施例２に係る探索装置２０が実行する処理の手順例を示すフローチャートである。また、図７は、実施例２に係るサブルーチンである音響再生ルーチンを示すフローチャートである。本実施例において、ステップＳ１１からステップＳ１５までは、実施例１のフローと同様であり、音響再生ルーチンであるステップＳ１６が加わる点が異なる。
【００４３】
本実施例のフローでは、実施例１と同様に、ステップＳ１１が実行され、ステップＳ１３において休憩が必要と判定された場合に、ナビゲーション情報が取込まれ（ステップＳ１４）、ステップＳ１５において、休憩地点の検索が実行される。
【００４４】
また、ステップＳ１６において、音響再生装置２１が音響再生ルーチンを実行する。ステップＳ１５の検索が終了したら、休憩地点の検索結果が出力される。ステップＳ１６の音響再生ルーチンについて以下に説明する。
【００４５】
音響再生ルーチンにおいては、音響再生装置２１が、眠気強度判定部１２による眠気強度の判定結果を参照する（ステップＳ２１）。眠気強度の判定結果に基づいて、音響の再生が必要であるか否かが判定される（ステップＳ２２）。ステップＳ２２において、音響の再生が不要であると判定された場合は、音楽再生ルーチンの最初に戻り、再びステップＳ２１が実行される。
【００４６】
ステップＳ２２において、音響の再生が必要であると判定された場合は、ステップＳ２３に移り、音響が再生されているか否かが判定される。ステップＳ２３において、音響が再生されていないと判定された場合は、音響データ選択部２３が、音響データ格納部２２に格納された音響データの中から、眠気強度に応じた音響データを選択して再生する（ステップＳ２４）。すなわち、眠気を抑制し、又は覚醒を促す効果の大小と、眠気強度のレベルとに関連付けて格納された音響データの中から、当該眠気強度に関連する音響データを選択する。
【００４７】
ステップＳ２３において、音響が再生されていると判定された場合は、ステップＳ２５に移り、再生されている音響データに、覚醒作用のある脳波信号（例えば、β波信号）を重畳するか否かが判定される。再生されている音響データについて、眠気を抑制し、又は覚醒を促す効果が一定の基準よりも低い場合に、脳波信号を重畳すると判定される。すなわち、再生されている音響データに脳波信号を重畳することが、眠気を抑制し、又は覚醒を促すために有効であると判定される。
【００４８】
ステップＳ２５において、脳波信号を重畳すると判定された場合は、ステップＳ２６に移り、少なくとも１種類の脳波データを、再生されている音響データに重畳する。脳波信号の周波数は少なくとも１種類であればよく、複数種の脳波信号を重畳できるように構成されていてもよい。また、重畳する脳波信号の強度を適宜変更できるように構成されていてもよい。
【００４９】
ステップＳ２５において、脳波信号を重畳しないと判定された場合は、再生されている音響データの再生を、脳波を重畳せずに継続する。
【００５０】
以上説明したように、実施例２の探索装置によれば、自動車の運転者の生体情報に基づく眠気強度に応じた休憩地点を検索して休憩を促すことに加え、眠気強度に応じた音響データを選択し、又は音響データに脳波信号を重畳することにより、眠気強度に応じた音響データを再生することが可能な探索装置を提供することができる。
【実施例３】
【００５１】
再び図５を参照し、実施例３に係る探索装置３０について説明する。
【００５２】
探索装置３０は、探索装置１０と撮像システム３１を備えている。探索装置１０の構成は、実施例１と同様である。撮像システム３１は、撮像装置３２と、画像解析部３３により構成されている。撮像システム３１は、探索装置１０に伝送路（バスライン）ＢＬで接続されている。
【００５３】
撮像装置３２は、少なくとも１のカメラを有しており、眠気強度の判定結果に応じて自動車の周囲を撮像する。なお、撮像装置３２は、カメラを複数台備えていてもよく、例えば自動車の前方、後方、側方など複数の方角の撮像ができるように構成されていてもよい。
【００５４】
画像解析部３３は、撮像装置３２が取得した画像を解析し、自動車の周辺における停止スペースの情報を生成する。当該情報は、停止スペースの位置、広さなどの属性情報を含む。画像解析部３３は、解析結果である停止スペースの情報を休憩地点検索部１４に送る。ナビゲーション情報取込み部１３からのナビゲーション情報も休憩地点検索部１４に供給され、休憩地点検索部１４においてナビゲーション情報と停止スペースの情報とが組み合わされる。
【００５５】
図８は、実施例３に係る探索装置３０が実行する処理の手順例を示すフローチャートである。ステップＳ１１からステップＳ１３までは、実施例１と同様に実行される。すなわち、生体情報取得部１１が生体情報を取込み（ステップＳ１１）、眠気強度判定部１２が眠気強度を判定する（ステップＳ１２）。休憩地点検索部１４は、眠気強度の判定結果から、休憩が必要であるか否かを判定する（ステップＳ１３）。
【００５６】
ステップＳ１３において、休憩が必要であると判定された場合に、本実施例においてはさらに停止スペースが必要であるか否かを判定する（ステップＳ１３Ａ）。停止スペースは、例えば眠気強度が基準強度よりも強いと判定された場合に、必要であると判定される。
【００５７】
ステップＳ１３Ａにおいて、停止スペースが必要と判定された場合は、撮像装置３２が自動車の周辺を撮像する（ステップＳ３１）。
【００５８】
画像解析部３３は、撮像装置３２にて撮影された画像情報を解析する（ステップＳ３２）。画像解析部３３は、例えば自動車が停止できる広さの地面を解析によって判別できるように構成されている。画像解析部３３は、停止スペースの位置情報を画像解析結果として出力するように構成されている。画像解析結果は、ナビゲーション情報取込み部１３に取込まれる。すなわち、画像解析部３３の画像解析結果は、ナビゲーション情報取込み部３３が取込むナビゲーション情報の一部分となる。したがって、ステップＳ１５において、休憩地点検索部１４は、画像解析部３３の解析結果を含んだナビゲーション情報に基づいて、休憩地点を検索する。
【００５９】
一方、ステップＳ１３Ａにおいて、停止スペースが必要でないと判定された場合は、ステップＳ１４へ移り、ナビゲーション情報取込み部１３がナビゲーション情報を取込む。
【００６０】
続いてステップＳ１５において、休憩地点検索部１４が休憩地点検索を開始する。ステップＳ１５の検索が終了したら、検索結果である休憩地点情報を出力する。
【００６１】
さらに、ステップＳ１５Ａにおいて、休憩地点分類部１５が検索結果を分類する。
【００６２】
以上の実施例３の探索装置によれば、眠気強度に応じた休憩地点を検索して休憩を促す際に、休憩地点として、各種施設に加えて停止スペースについても検索精度の高い検索結果を提示することができる探索装置を提供することができる。
【実施例４】
【００６３】
図９は、実施例４のナビゲーション装置５０の構成を示すブロック図である。ナビゲーション装置５０は、車両などの移動体に搭載され、地図情報、経路情報、渋滞情報などの交通情報を表示して移動体を案内する。
【００６４】
なお、ナビゲーション装置５０は、車両などに備え付けられたものでなくてもよく、例えば、ＰＮＤ（Personal Navigation Device）などの携帯型のナビゲーション装置や、スマートフォンなどの携帯端末装置にハードウエア又はソフトウエアとして搭載されたものであってもよい。
【００６５】
ナビゲーション装置５０は、上記した実施例の探索装置１０，探索装置２０又は探索装置３０のいずれか（以下、探索装置１０，２０，３０と表記する。）が組み込まれたナビゲーション装置として構成されている。
【００６６】
より詳細には、ナビゲーション装置５０は、探索装置１０，２０，３０の他に、現在地算出部５１、経路算出部５２、経路案内部５３、表示・音声部５４、操作受付部５５、格納部５６、通信部５７、センサ部５８を有している。これらの各部５１〜５８及び探索装置１０，２０，３０は、双方向通信が可能な伝送路（バスライン）ＢＬで互いに接続されている。
【００６７】
例えば、現在地算出部５１、経路算出部５２、経路案内部５３及び探索装置１０，２０，３０は、ナビゲーション処理部５９を構成している。ナビゲーション処理部５９は、ナビゲーション処理部５９の各部が連携してナビゲーション装置５０の全体の制御をなすように構成されている。例えば、ナビゲーション処理部５９は、演算処理を行うＣＰＵ（Central Processing Unit）、プログラムやデータを格納するＲＡＭ（Random Access Memory）やＲＯＭ（Read Only Memory）などのメモリから構成されている。
【００６８】
表示・音声部５４は、ディスプレイに現在地、経由地、目的地、経路などの案内画面を表示させる表示データを生成するなどの表示処理を行う。また、ユーザのタッチ操作などの入力操作による指示を受け付けるためのメニューや、操作ボタンなどの画像を表示させる表示データを生成する。表示・音声部５４は、表示情報を音声データに変換し、音声によって経路案内などの種々の音声案内を行うようにしてもよい。
【００６９】
操作受付部５５は、ユーザの操作入力を受付け、操作データを生成する。操作受付部５５は、表示・音声部５４による上述のユーザの画面タッチ操作による操作入力や、表示・音声部５４によって音声認識されたユーザの音声による操作入力を受け付けてもよい。
【００７０】
格納部５６には、ナビゲーション処理部５９が各種処理を実行するためプログラムやデータ、ナビゲーション処理に使用される地図情報及び施設情報などのナビゲーション情報が格納される。また、ナビゲーション処理に使用される一時的データ、ナビゲーション処理によって生成された経路データなどのナビゲーションデータが格納される。
【００７１】
また、格納部５６には、眠気強度や休憩地点の検索や分類に関する条件、判定基準、音響に重畳する脳波データ、眠気抑制又は覚醒効果の有る音響に関するデータ、休憩スペースの判定などに用いられる画像解析データなど、ナビゲーション処理部５９において使用される種々のデータが格納される。
【００７２】
格納部５６は、ＨＤＤ（Hard Disk Drive）、フラッシュメモリ等の半導体メモリなど、データの消去・書き込み可能な記憶装置、Blu-ray（登録商標）（ブルーレイ）ディスク、ＤＶＤ-ＲＯＭなどにより構成される。
【００７３】
通信部５７は、ＧＰＳ受信装置、ＶＩＣＳ（登録商標）（Vehicle Information Communication System）受信装置、ビーコン受信装置などのナビゲーション処理に使用される種々の情報信号を受信する機能を有する。また、車内ＬＡＮ、ＷｉＦｉ通信、携帯電話（セルラ）通信、車車間通信、インターネット接続などの通信機能を有していてもよい。
【００７４】
通信部５７は、例えば、ＧＰＳ衛星からの信号を受信し、時刻データ、移動体の現在位置を取得する。また、ＶＩＣＳ（登録商標）信号を受信し、道路情報、交通情報を含む情報などを取得する。また、ビーコン装置から送られてくる渋滞情報、通行止めや交通規制などの交通情報などを受信する。
【００７５】
センサ部５８は、車速を示す車速信号を生成する車速センサ、移動体の角速度信号を生成するジャイロセンサなどの種々のセンサが設けられている。なお、これらのセンサはナビゲーション装置５０とは別の外部装置として設けられていてもよく、ナビゲーション装置５０が種々の検知信号を外部装置から受信するように構成されていてもよい。
【００７６】
ナビゲーション処理部５９の構成について以下に詳細に説明する。現在地算出部５１は、ＧＰＳ信号や車速信号を所定の時間間隔で取得し、これらに基づいて現在地を算出し、現在地情報を生成する。また、現在地算出部５１は、現在時刻を取得するように構成されていてもよい。
【００７７】
経路算出部５２は、操作受付部５５へのユーザ入力により指定された目的地情報と、現在地算出部５１によって生成された現在地情報とを取得する。経路算出部５２は、交通情報及び道路情報を含む地図情報、施設情報など経路算出に用いられる情報を格納部５６及び通信部５７から取得する。経路算出部５２は、地図情報中の道路網のリンク情報、ノード情報などに基づいて、現在地から目的地への経路を算出し、経路情報を生成する。なお、この際、混雑状況などの交通情報や道路情報に基づいて、あるいはユーザの設定に基づいて最適な経路情報を生成するようにしてもよい。
【００７８】
経路案内部５３は、経路算出部５２が生成した経路情報を取得し、現在地から目的地までの経路を案内表示するための案内表示データを生成する。あるいは、音声案内のための音声データを生成してもよい。経路案内部５３が生成した表示データは、表示・音声部５４に取込まれ、現在地から目的地までの経路が画面表示又は音声として出力される。
【００７９】
経路案内部５３には、探索装置１０によって検索された少なくとも１の休憩地点に関する情報が供給され、経路案内部５３による案内表示として表示される。
【００８０】
探索装置１０，２０，３０には、現在地算出部５１から現在地情報、操作受付部５５からユーザが設定した休憩地点の検索条件、格納部５６から地図情報、通信部５７からのＶＩＣＳ（登録商標）情報、などが供給される。
【００８１】
ナビゲーション処理部５９には、探索装置１０，２０，３０からの、優先順位や分類結果を含む休憩地点情報が供給される。ナビゲーション処理部５９の経路案内部５３は、休憩地点情報に基づいて、探索された休憩地点を案内表示するための表示データを生成する。
【００８２】
ナビゲーション装置５０に実施例２の探索装置２０が設けられている場合には、眠気強度に応じた（眠気抑制・覚醒効果のある）音響データ、または脳波信号が重畳された音響データは表示・音声部５４に供給され、当該音響データが再生される。
【００８３】
ナビゲーション装置５０に実施例３の探索装置３０が設けられている場合には、停止スペースを含む休憩地点情報が経路案内部５３に供給され、検索された休憩地点を案内表示するための表示データを生成する。
【００８４】
本実施例において、探索装置１０、２０、３０は、ナビゲーション装置５０に組み込まれ、ナビゲーション装置５０を構成する各部からナビゲーション情報を取得し、休憩地点を検索することができる。また、休憩地点検索結果をナビゲーション装置５０に出力し、休憩地点を案内表示するための表示データを生成させることができる。
【００８５】
以上、詳細に説明したように、本願発明の探索装置によれば、移動体を運転する運転者の眠気強度を判定し、眠気強度に応じた休憩地点を検索し、休憩を促すことが可能な探索装置を提供することができる。
【００８６】
また、本願発明の探索方法は、本願発明の探索方法を実行させるプログラムによって、実行することができる。なお、本願発明の探索方法を実行させるプログラムは、コンピュータで読み取り可能な記録媒体に記録され、好適に使用することができる。例えば、ナビゲーション装置、モバイル機器、ウェアラブル機器などの機器が、本願発明のプログラムを記録媒体から読み取り、当該プログラムを読み取った機器を、移動体内に導入することによって、本願発明の探索プログラムを実行することができる。
【符号の説明】
【００８７】
１０、２０、３０  探索装置
１１  生体情報取得部
１２  眠気強度判定部
１３  ナビゲーション情報取込み部
１４  休憩地点検索部
１５  休憩地点分類部
１６  記憶部
１９  設定部
２１  音響再生装置
３１  撮像システム
５０  ナビゲーション装置
【図１】
2017157070.tif 000003
【図２】
2017157070.tif 000004
【図３】
2017157070.tif 000005
【図４】
2017157070.tif 000006
【図５】
2017157070.tif 000007
【図６】
2017157070.tif 000008
【図７】
2017157070.tif 000009
【図８】
2017157070.tif 000010
【図９】
2017157070.tif 000011